(57)【要約】      （修正有）【課題】本考案は荷物の輸送において、輸送箱の中の商品を保護するために輸送箱と商品の間に詰める緩衝材に関するもので、芳香・乾燥・消臭・防虫効果を発揮することができる緩衝材を提供する。【解決手段】本考案の緩衝材は、ビニール袋１の中に緩衝性を備えた複数個の発泡性樹脂体２を封入し、更に芳香・乾燥・消臭・防虫機能を付けた部材３を封入しており、ビニール袋１には内容物が通過しない大きさの孔を設ける。【選択図】図１
0003202926.tif 000002
【実用新案登録請求の範囲】
【請求項１】
袋体の中に緩衝性を備えた複数個の発泡性樹脂体を封入し更に芳香性・乾燥性・消臭性及び防虫性からなる群から選択された少なくとも１つの機能を有する機能材を封入しており、前記袋体には内容物が通過しない大きさの孔を設けたことを特徴とする緩衝材。     
【請求項２】
前記樹脂体には緩衝材の用途に応じて硬さを調整するために、その強度也設定されていることを穴の開いたビニール袋に入れるスポンジ剤の強度を多様化、大きさをさせることであらゆるものの衝撃から荷物を守ることができることを特徴とする請求項１に記載の緩衝材。
【考案の詳細な説明】
【技術分野】
【０００１】
本考案は荷物の輸送において、輸送箱の中の商品を保護するために輸送箱と商品の間に詰める緩衝材に関する。
【背景技術】
【０００２】
従来の緩衝材は透明の樹脂（ポリエチレンやビニール）の小袋にポリプロピレン製の発泡緩衝材を詰めたものを用いていた。
【０００３】
しかしながら、発泡緩衝材は弾力性に乏しく収縮後の復元に時間が掛かり塑性変形したままになることも度々あった。
また、商品の輸送時の緩衝材として梱包箱と商品の隙間に緩衝材を詰めるだけでは、輸送時に湿気や臭気を帯びたりすることがあった。
【先行技術文献】
【特許文献】
【０００４】
【特許文献１】特開２０１２−３０８２９号公報
【特許文献２】特開２０１３−１８４７０７号公報
【考案の概要】
【考案が解決しようとする課題】
【０００５】
本考案は、以上のような従来の欠点に鑑み、  荷物を梱包し、輸送する間に荷物（商品）を湿気・腐臭・防虫から守る緩衝材を提供する事を目的としている。
【課題を解決するための手段】
【０００６】
上記目的を達成するために、本考案の緩衝材は、袋体の中に緩衝性を備えた複数個の発泡性樹脂体を封入し更に芳香性・乾燥性・消臭性及び防虫性からなる群から選択された少なくとも１つの機能を有する機能材を封入しており、前記袋体には内容物が通過しない大きさの孔を設けたことを特徴とする。
【考案の効果】
【０００７】
以上の説明から明らかなように、本考案にあっては次に列挙する効果が得られる。
【０００８】
緩衝材の中に芳香・乾燥・消臭・防虫機能を付けた部材を入れることで梱包材の機能を行使しつつ芳香・乾燥・消臭・防虫機能を実現できる
【０００９】
荷物に入れるだけで芳香・乾燥・消臭・防虫効果が期待できる
【００１０】
発泡性樹脂体と空気穴の併用で潰しても元に戻る
【００１１】
発泡性樹脂体を使用することで繰り返し使用でき、ゴミの軽減になる
【００１２】
ブーツ等を仕舞うときに形を崩さないまま消臭できる
【００１３】
衣替え時に防虫機能のついた緩衝材を一緒に衣服に入れて畳んでしまうときに型崩れせずに防虫できる
【００１４】
大切なハ゜ートナーへのプレゼントのアクセントとして使用可能
【００１５】
かすかな芳香を付ける事で荷物に匂い移りしない
【００１６】
潰してもすぐに元に戻るのであらゆる形状にも対応できる
穴の開いたビニール袋に緩衝性を備えた複数個の発泡性樹脂体いれてその中に少なくとも１つの機能を持つ芳香・乾燥・消臭・防虫機能有する部材を入れて緩衝材にすること。穴の開いたビニール袋に入れるスポンジ剤の強度を多様化、大きさをさせることであらゆるものの衝撃から荷物を守ることができる。ビニールの大きさを宅配便サイス゛にすることと穴を小さくすることでウレタン素材が擦れて粉状になってもビニールの外には漏れ出さないし、空気穴が開いていることで潰れてもすぐ元に戻り繰り返し使用できる。
【図面の簡単な説明】
【００１７】
【図１】本考案を実施するための形態の構成図である。
【図２】本考案を実施するための形態の表面図である。
【図３】本考案を実施するための形態の芳香機能使用例の図である。
【図４】本考案を実施するための形態の荷物乾燥使用例の図である。
【図５】本考案を実施するための形態の靴等の乾燥使用例の図である。
【図６】本考案を実施するための形態の洋服等の防虫使用例の図である。
【考案を実施するための形態】
【００１８】
以下、本考案の実施の形態を図に基づいて説明する。
【００１９】
図１は、本考案の実施例100の断面図であって、ビニール袋１の中に緩衝性を備えた複数個の発泡性樹脂体2を封入し、その中に芳香・乾燥・消臭・防虫機能を付けた部材3を投入して緩衝材とするものである。内容物が通過しない大きさの孔を設けたことを特徴とする緩衝材である。
潰してもすぐに元に戻るのであらゆる形状にも対応できる
【００２０】
図２は本考案の実施例100の表面図であってビニール袋１に空気穴及び内容物が通過しない大きさの孔4を設けたことを特徴とする緩衝材である。潰しても空気穴及び内容物が通過しない大きさの孔4によりすぐに収縮、4により容易に元に戻るのであらゆる形状にも対応できる緩衝材にすること。またビニール袋１に入れるスポンジ剤の強度を多様化、孔の大きさを小さくすることで緩衝性を備えた複数個の発泡性樹脂体2が擦れて粉状になってもビニール袋1の外には漏れ出さない構造になっている。
【００２１】
図３は包装袋31の中に贈答品54と本考案の実施例100を投入したものを固定材32で包むことで利用する。大切な方へのプレゼントのアクセントとして本考案の実施例100と贈答品34を共に封入することで贈答品34を衝撃から守るとともに芳香機能を持つ本考案の実施例100の芳香機能により、開封時に贈答されたかたはほのかな香りを楽しむことができて、さわやかな時間を提供できる。
【００２２】
図４は荷物梱包用の容器41に本考案の実施例100と荷物45を入れて梱包する。このときに芳香・乾燥・消臭・防虫機能を付けた部材3を投入してある本考案の実施例100を一緒にすることで荷物45を衝撃から保護し、荷物45を湿気等から守ることができる。
【００２３】
図5は靴51の中に本考案の実施例100を入れることで靴51の形状を安定しつつ消臭効果を発揮できるものである。緩衝性を備えた複数個の発泡性樹脂体3の強度を変化させることによりあらゆる靴の形状に対応できる。
【００２４】
図6は衣替えや衣類を収納及び梱包する際の例である。容器61に衣類62と本考案の実施例100を入れることで衣類62の形状を保ちながら芳香・乾燥・消臭・防虫機能を付けた部材3を投入してある本考案の実施例100を一緒にすることで衣類61を収納しながら防虫機能を果たすことができる。
【産業上の利用可能性】
【００２５】
本考案は、緩衝材を製造・販売する産業、及び荷物の梱包・輸送する産業で利用される。また衣替えや靴の保管にも利用される。
【符号の説明】
【００２６】
１  ビニール袋
２  緩衝性を備えた複数個の発泡性樹脂体
３  芳香・乾燥・消臭・防虫機能を付けた部材
４  空気穴及び内容物が通過しない大きさの孔
100  本考案の実施例
31  包装袋
32  固定材
34  贈答品
41  荷物梱包用の容器
45  荷物
51  靴
61  容器
62  衣類
【図１】
0003202926.tif 000003
【図２】
0003202926.tif 000004
【図３】
0003202926.tif 000005
【図４】
0003202926.tif 000006
【図５】
0003202926.tif 000007
【図６】
0003202926.tif 000008
【手続補正書】
【提出日】平成27年12月28日(2015.12.28)
【手続補正１】
【補正対象書類名】実用新案登録請求の範囲
【補正対象項目名】請求項２
【補正方法】変更
【補正の内容】
【請求項２】
前記樹脂体には緩衝材の用途に応じて硬さ を調整するために、穴の開いた前記袋 体に入れる前記樹 脂体の強度を多様化させることで荷物の輸送の衝撃から前記荷物を守ることができることを特徴とする請求項１に記載の緩衝材。